【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
印刷装置と、サーバと、モバイル端末とを有する印刷システムであって、
前記サーバは、
外部装置から受信した印刷データを記憶する記憶手段と、
前記記憶手段に記憶された印刷データを前記印刷装置に送信する第１の送信手段と、を有し、
前記印刷装置は、
近距離無線通信インタフェースを使用してパケットを送信する第２の送信手段と、
前記印刷装置の操作部を介して所定のユーザ操作を受け付けたことに従って、前記サーバから前記印刷データを受信するための第１の印刷指示を前記サーバに対して送信する第３の送信手段と、
前記印刷装置の操作部を介したユーザの操作に基づいて、前記モバイル端末と前記印刷装置とが近接したことに従って前記サーバに記憶された前記印刷データを印刷するかどうかを前記印刷装置の動作設定として設定する設定手段と、を有し、
前記モバイル端末は、
前記第２の送信手段により送信されたパケットを受信する受信手段と、
前記受信手段が受信した前記パケットを搬送する電波の強度に基づき前記モバイル端末と前記印刷装置とが近接しているか否かを判定する判定手段と、
前記判定手段によって前記モバイル端末と前記印刷装置とが近接していると判定されたことに従って、前記サーバに格納された印刷データを前記印刷装置に送信させるための第２の印刷指示を前記サーバに対して送信する第４の送信手段と、を有し、
前記サーバが有する前記第１の送信手段は、前記第１の印刷指示又は前記第２の印刷指示を受信したことに従って、前記印刷装置に前記印刷データを送信することを特徴とする印刷システム。
【請求項２】
前記第４の送信手段は、前記設定手段によって前記モバイル端末と前記印刷装置とが近接したことに従って前記サーバに記憶された前記印刷データを印刷することが設定されていない場合、前記判定手段によって前記モバイル端末と前記印刷装置とが近接していると判定されたとしても、前記第２の印刷指示を送信しないことを特徴とする請求項１に記載の印刷システム。
【請求項３】
前記第２の送信手段により送信された前記パケットには前記印刷装置に関する識別情報が含まれており、
前記モバイル端末は、前記受信手段が受信した前記パケットに含まれる前記識別情報が、所定の印刷装置を示しているか否かを判定する第２の判定手段、を更に有し、
前記第４の送信手段は、前記識別情報が前記所定の印刷装置を示していると前記第２の判定手段によって判定され、且つ、前記判定手段によって前記モバイル端末と前記印刷装置とが近接していると判定されたことに従って、前記第２の印刷指示を前記サーバに対して送信することを特徴とする請求項１又は２に記載の印刷システム。
【請求項４】
前記モバイル端末は、
前記モバイル端末の操作部を介したユーザ操作に基づいて、セキュア印刷を行うか否かを設定する第２の設定手段、を更に有し、
前記第２の設定手段によって前記セキュア印刷を行わないことが設定されている場合、前記第４の送信手段は、前記判定手段による判定によらず、前記サーバから印刷に関する通知を受け取ったことに従って、前記第２の印刷指示を前記サーバに送信することを特徴とする請求項１乃至３のいずれか１項に記載の印刷システム。
【請求項５】
印刷装置と、モバイル端末とを有する印刷システムであって、
前記印刷装置は、
外部装置から受信した印刷データを記憶する記憶手段と、
前記印刷装置の操作部を介して所定のユーザ操作を受け付けたことに従って、前記記憶手段に記憶された印刷データに基づく印刷処理を実行する印刷制御手段と、
前記印刷装置の操作部を介したユーザの操作に基づいて、前記モバイル端末と前記印刷装置とが近接したことに従って前記記憶手段に記憶された前記印刷データを印刷するかどうかを前記印刷装置の動作設定として設定する設定手段と、
近距離無線通信インタフェースを使用してパケットを送信する第１の送信手段と、を有し、
前記モバイル端末は、
前記第１の送信手段により送信されたパケットを受信する受信手段と、
前記受信手段が受信した前記パケットを搬送する電波の強度に基づき前記モバイル端末と前記印刷装置とが近接しているか否かを判定する判定手段と、
前記判定手段によって前記モバイル端末と前記印刷装置とが近接していると判定されたことに従って、前記印刷装置の記憶手段に記憶されている印刷データに基づく印刷を印刷装置に行わせるための印刷指示を前記印刷装置に対して送信する第２の送信手段と、を有し、
前記印刷制御手段は、更に、前記モバイル端末から印刷指示を受信したことに従って、前記記憶手段に記憶された印刷データに基づく印刷処理を実行することを特徴とする印刷システム。
【請求項６】
前記第２の送信手段は、前記設定手段によって前記モバイル端末と前記印刷装置とが近接したことに従って前記記憶手段に記憶された前記印刷データを印刷することが設定されていない場合、前記判定手段によって前記モバイル端末と前記印刷装置とが近接していると判定されたとしても、前記印刷指示を送信しないことを特徴とする請求項５に記載の印刷システム。
【請求項７】
前記第１の送信手段により送信された前記パケットには前記印刷装置に関する識別情報が含まれており、
前記モバイル端末は、前記受信手段が受信した前記パケットに含まれる前記識別情報が、所定の印刷装置を示しているか否かを判定する第２の判定手段、を更に有し、
前記第２の送信手段は、前記識別情報が前記所定の印刷装置を示していると前記第２の判定手段によって判定され、且つ、前記判定手段によって前記モバイル端末と前記印刷装置とが近接していると判定されたことに従って、前記印刷指示を前記印刷装置に対して送信することを特徴とする請求項５又は６に記載の印刷システム。
【請求項８】
前記モバイル端末は、
前記モバイル端末の操作部を介したユーザ操作に基づいて、セキュア印刷を行うか否かを設定する第２の設定手段を更に有し、
前記第２の設定手段によって前記セキュア印刷を行わないことが設定されている場合、前記第２の送信手段は、前記判定手段による判定によらず、前記印刷指示を前記印刷装置に送信しないことを特徴とする請求項５乃至７のいずれか１項に記載の印刷システム。
【請求項９】
前記印刷装置が前記近距離無線通信インタフェースを使用して送信するパケットは、Ｂｌｕｅｔｏｏｔｈ  Ｌｏｗ  Ｅｎｅｒｇｙのアドバタイジングパケットであることを特徴とする請求項１乃至８のいずれか１項に記載の印刷システム。
【請求項１０】
外部装置から受信した印刷データを記憶する印刷装置と通信可能なモバイル端末であって、
近距離無線インタフェースを使用して印刷装置から送信されるパケットを受信する受信手段と、
前記受信手段が受信した前記パケットを搬送する電波の強度に基づき前記モバイル端末と前記印刷装置とが近接しているか否かを判定する判定手段と、
印刷に関する動作設定として、前記モバイル端末と前記印刷装置とが近接していることを条件として前記印刷装置が記憶する印刷データの印刷を行うかどうかを設定する設定手段と、
前記判定手段によって前記モバイル端末と前記印刷装置とが近接していると判定されたことに従って、前記印刷装置が記憶する印刷データに基づく印刷を印刷装置に行わせるための印刷指示を前記印刷装置に対して送信するよう制御する送信制御手段と、を有し、
前記設定手段によって前記モバイル端末と前記印刷装置とが近接していることを条件として前記印刷装置が記憶する印刷データの印刷を行うことが設定されていない場合、前記送信制御手段は、前記判定手段によって前記モバイル端末と前記印刷装置とが近接していると判定されたことに従っては、前記印刷指示を前記印刷装置に対して送信しないよう制御することを特徴するモバイル端末。
【請求項１１】
外部装置から受信した印刷データを記憶する印刷装置と通信可能なモバイル端末のコンピュータに、
近距離無線インタフェースを使用して印刷装置から送信されるパケットを受信する受信制御工程と、
前記受信制御工程で受信した前記パケットを搬送する電波の強度に基づき前記モバイル端末と前記印刷装置とが近接しているか否かを判定する判定工程と、
印刷に関する動作設定として、前記モバイル端末と前記印刷装置とが近接していることを条件として前記印刷装置が記憶する印刷データの印刷を行うかどうかを設定する設定工程と、
前記判定工程で前記モバイル端末と前記印刷装置とが近接していると判定されたことに従って、前記印刷装置が記憶する印刷データに基づく印刷を印刷装置に行わせるための印刷指示を前記印刷装置に対して送信するよう制御する送信制御工程と、を実行させるためのプログラムであって、
前記設定工程で前記モバイル端末と前記印刷装置とが近接していることを条件として前記印刷装置が記憶する印刷データの印刷を行うことが設定されていない場合、前記送信制御工程では、前記判定工程で前記モバイル端末と前記印刷装置とが近接していると判定されたことに従っては、前記印刷指示を前記印刷装置に対して送信しないよう制御することを特徴とするプログラム。
【請求項１２】
前記印刷装置によって送出されるパケットには前記印刷装置に関する識別情報が含まれており、
前記受信制御工程が受信した前記パケットに含まれる前記識別情報が、所定の印刷装置を示しているか否かを判定する第２の判定工程を前記コンピュータに更に実行させ、
前記送信制御工程では、前記識別情報が前記所定の印刷装置を示していると前記第２の判定工程で判定され、且つ、前記判定工程によって前記モバイル端末と前記印刷装置とが近接していると判定されたことに従って、前記印刷指示を前記印刷装置に対して送信するよう制御することを特徴とする請求項１１に記載のプログラム。
【請求項１３】
前記パケットは、Ｂｌｕｅｔｏｏｔｈ  Ｌｏｗ  Ｅｎｅｒｇｙのアドバタイジングパケットであることを特徴とする請求項１１又は１２に記載のプログラム。
【請求項１４】
外部装置から受信した印刷データを記憶する印刷装置と通信可能なモバイル端末において実行される制御方法であって、
近距離無線インタフェースを使用して印刷装置から送信されるパケットを受信する受信制御工程と、
前記受信制御工程で受信した前記パケットを搬送する電波の強度に基づき前記モバイル端末と前記印刷装置とが近接しているか否かを判定する判定工程と、
印刷に関する動作設定として、前記モバイル端末と前記印刷装置とが近接していることを条件として前記印刷装置が記憶する印刷データの印刷を行うかどうかを設定する設定工程と、
前記判定工程で前記モバイル端末と前記印刷装置とが近接していると判定されたことに従って、前記印刷装置が記憶する印刷データに基づく印刷を印刷装置に行わせるための印刷指示を前記印刷装置に対して送信するよう制御する送信制御工程と、を有し、
前記設定工程で前記モバイル端末と前記印刷装置とが近接していることを条件として前記印刷装置が記憶する印刷データの印刷を行うことが設定されていない場合、前記送信制御工程では、前記判定工程で前記モバイル端末と前記印刷装置とが近接していると判定されたことに従っては、前記印刷指示を前記印刷装置に対して送信しないよう制御することを特徴とする制御方法。
【請求項１５】
前記印刷装置によって送出されるパケットには前記印刷装置に関する識別情報が含まれており、
前記受信制御工程が受信した前記パケットに含まれる前記識別情報が、所定の印刷装置を示しているか否かを判定する第２の判定工程、を更に有し、
前記送信制御工程では、前記識別情報が前記所定の印刷装置を示していると前記第２の判定工程で判定され、且つ、前記判定工程によって前記モバイル端末と前記印刷装置とが近接していると判定されたことに従って、前記印刷指示を前記印刷装置に対して送信するよう制御することを特徴とする請求項１４に記載の制御方法。
【請求項１６】
前記パケットは、Ｂｌｕｅｔｏｏｔｈ  Ｌｏｗ  Ｅｎｅｒｇｙのアドバタイジングパケットであることを特徴とする請求項１４又は１５に記載の制御方法。
【請求項１７】
外部装置から受信した印刷データを記憶する印刷装置と通信可能なモバイル端末のコンピュータに、
近接無線インタフェースを使用して印刷装置から送信されるパケットを受信する受信制御工程と、
印刷に関する動作設定として、前記モバイル端末と前記印刷装置とが近接していることを条件として前記印刷装置が記憶する印刷データの印刷を行うかどうかを設定する設定工程と、
前記受信制御工程で受信した前記パケットが所定の条件を満たしている場合に、前記印刷装置が記憶する印刷データに基づく印刷を印刷装置に行わせるための印刷指示を前記印刷装置に対して送信するよう制御する送信制御工程と、を実行させるためのプログラムであって、
前記設定工程で前記モバイル端末と前記印刷装置とが近接していることを条件として前記印刷装置が記憶する印刷データの印刷を行うことが設定されていない場合、前記受信制御工程で受信した前記パケットが前記所定の条件を満たしていることに従っては、前記印刷指示を前記印刷装置に対して送信しないよう制御することを特徴とするプログラム。
【手続補正２】
【補正対象書類名】明細書
【補正対象項目名】０００９
【補正方法】変更
【補正の内容】
【０００９】
上記目的を達成するために本発明の一態様に係る印刷システムは以下のような構成を備える。即ち、
印刷装置と、サーバと、モバイル端末とを有する印刷システムであって、
前記サーバは、
外部装置から受信した印刷データを記憶する記憶手段と、
前記記憶手段に記憶された印刷データを前記印刷装置に送信する第１の送信手段と、を有し、
前記印刷装置は、
近距離無線通信インタフェースを使用してパケットを送信する第２の送信手段と、
前記印刷装置の操作部を介して所定のユーザ操作を受け付けたことに従って、前記サーバから前記印刷データを受信するための第１の印刷指示を前記サーバに対して送信する第３の送信手段と、
前記印刷装置の操作部を介したユーザの操作に基づいて、前記モバイル端末と前記印刷装置とが近接したことに従って前記サーバに記憶された前記印刷データを印刷するかどうかを前記印刷装置の動作設定として設定する設定手段と、を有し、
前記モバイル端末は、
前記第２の送信手段により送信されたパケットを受信する受信手段と、
前記受信手段が受信した前記パケットを搬送する電波の強度に基づき前記モバイル端末と前記印刷装置とが近接しているか否かを判定する判定手段と、
前記判定手段によって前記モバイル端末と前記印刷装置とが近接していると判定されたことに従って、前記サーバに格納された印刷データを前記印刷装置に送信させるための第２の印刷指示を前記サーバに対して送信する第４の送信手段と、を有し、
前記サーバが有する前記第１の送信手段は、前記第１の印刷指示又は前記第２の印刷指示を受信したことに従って、前記印刷装置に前記印刷データを送信することを特徴とする。